(57)【要約】【課題】燃料電池用燃料の貯蔵・運搬・放出効率に優れた燃料電池用燃料放出装置を提供する。【解決手段】燃料貯槽１内の燃料電池用燃料分子化合物２を加熱手段３で加熱することにより、燃料電池用燃料分子化合物２から燃料電池用燃料を放出させ、放出させた燃料電池用燃料を排出ライン１ｂから取り出すことができる。また、燃料電池用燃料の放出後は、導入ライン１ａから燃料電池用燃料を導入して燃料貯槽１内に残留するホスト化合物を燃料電池用燃料と接触させて再び燃料電池用燃料分子化合物を形成させることができ、これにより、燃料電池用燃料分子化合物の形成、燃料電池用燃料分子化合物からの燃料電池用燃料の放出を繰り返し行うことができる。【選択図】図１
2005327624.tif 000002
【特許請求の範囲】
【請求項１】
有機系燃料電池用燃料の導入口及び排出口を備えた、燃料電池用燃料分子化合物を内蔵するための燃料貯槽と、該燃料貯槽内の燃料電池用燃料分子化合物を加熱する加熱手段とを有することを特徴とする燃料電池用燃料放出装置。
【請求項２】
請求項１において、更に、該燃料貯槽内の燃料電池用燃料分子化合物を撹拌する撹拌手段を有することを特徴とする燃料電池用燃料放出装置。
【請求項３】
請求項１又は２において、更に、該燃料貯槽内の燃料電池用燃料分子化合物を冷却する冷却手段を有することを特徴とする燃料電池用燃料放出装置。
【請求項４】
請求項１ないし３のいずれか１項において、該燃料電池用燃料分子化合物は、ホスト化合物と燃料電池用燃料との接触反応により燃料電池用燃料を包接した燃料電池用燃料包接化合物であることを特徴とする燃料電池用燃料放出装置。
【請求項５】
請求項４において、該ホスト化合物が、有機化合物、無機化合物及び有機・無機複合化合物よりなる群から選ばれる１種又は２種以上であることを特徴とする燃料電池用燃料放出装置。
【請求項６】
請求項５において、該ホスト化合物が、単分子系ホスト化合物、多分子系ホスト化合物、高分子系ホスト化合物、無機系ホスト化合物、有機・無機複合ホスト化合物よりなる群から選ばれる１種または２種以上であることを特徴とする燃料電池用燃料放出装置。
【請求項７】
請求項５又は６において、該ホスト化合物が多孔質物質に担持されていることを特徴とする燃料電池用燃料放出装置。
【請求項８】
請求項１ないし７のいずれか１項において、該燃料電池が固体高分子電解質型燃料電池又はダイレクトメタノール型燃料電池であることを特徴とする燃料電池用燃料放出装置。
【発明の詳細な説明】
【技術分野】
【０００１】
本発明は、燃料電池用燃料を分子化合物として貯蔵し、貯蔵した燃料電池用燃料を燃料電池の燃料として放出する燃料電池用燃料放出装置に関する。
【背景技術】
【０００２】
固体高分子電解質型燃料電池は、パーフルオロスルホン酸膜等の固体電解質膜を電解質とし、この膜の両面に燃料極及び酸化剤極を接合して構成され、アノードに水素やメタノール、カソードに酸素を供給して電気化学反応により発電する装置である。各電極で生じる電気化学反応は、アノードでは、メタノールを用いた場合、
ＣＨ３ＯＨ＋Ｈ２Ｏ→６Ｈ＋＋ＣＯ２＋６ｅ−    …［１］
であり、また、カソードでは、
３／２Ｏ２＋６Ｈ＋＋６ｅ−→３Ｈ２Ｏ        …［２］
である。この反応を起こすために、両電極は触媒物質が担持された炭素微粒子と固体高分子電解質との混合体より構成されている。
【０００３】
このような固体高分子電解質型燃料電池において、燃料としてメタノールを用いた場合、アノードに供給されたメタノールは、電極中の細孔を通過して触媒に達し、触媒によりメタノールが分解されて、上記反応式［１］の反応で電子と水素イオンを生成する。水素イオンはアノード中の電解質及び両電極間の固体電解質膜を通ってカソードに達し、カソードに供給された酸素及び外部回路より流れ込む電子と反応して、上記反応式［２］のように水を生じる。一方、メタノールより放出された電子はアノード中の触媒担体を通って外部回路へ導き出され、外部回路よりカソードに流れ込む。この結果、外部回路ではアノードからカソードへ向かって電子が流れ電力が取り出される。
【０００４】
このメタノールを燃料とするダイレクトメタノール型燃料電池は、携帯用小型燃料電池として適用できる可能性が高く、近年、携帯用コンピューターや携帯電話等の次世代二次電池として開発が活発化してきている。
【０００５】
ダイレクトメタノール型燃料電池にあっては、アノードで発生した水素イオンは、電解質膜中を水分子とともにカソードに向かって移動する。この時、燃料であるメタノールもアノードからカソードへと移動する。この現象はメタノールクロスオーバーとよばれ、メタノールを燃料とした場合に起きる出力電圧低下の原因となる。メタノールクロスオーバーは、燃料中のメタノール濃度が高くなるほど顕著になるので、ダイレクトメタノール型燃料電池において高濃度のメタノール燃料を使うことは困難であった。
【０００６】
従来、上記のメタノールクロスオーバーの問題を解決するため、様々な方法が提案されている。例えば、アノードとカソードとの間の電解質膜やその構造を改良する方法が提案されている（特開平１１−２６００５号公報、特開２００２−８３６１２号公報等）。また、液体燃料を一旦気化器や加熱器を用いて気化してアノードに供給する方法が提案されている（例えば、特開２００１−９３５４１号公報）。更に、メタノールを他のアルコール類（イソプロパノール；特開２００３−２１７６４２号公報）や他の有機系燃料（シクロパラフィン類；特開２００３−３２３８９６号公報）に替えたものも提案されている。
【特許文献１】特開平１１−２６００５号公報
【特許文献２】特開２００２−８３６１２号公報
【特許文献３】特開２００１−９３５４１号公報
【特許文献４】特開２００３−２１７６４２号公報
【特許文献５】特開２００３−３２３８９６号公報
【発明の開示】
【発明が解決しようとする課題】
【０００７】
しかしながら、上記従来法でも、メタノールクロスオーバーには十分に対応し得ず、更なる改良が望まれている。
【０００８】
また、メタノールを燃料とするダイレクトメタノール型燃料電池では、メタノールクロスオーバーだけでなく、
(1)  メタノールの原液は毒劇物取締法の劇物に相当し、危険物第４類に相当するなど、取り扱いには十分な注意を要する。  
(2)  メタノールは液体であるため、液漏れのない密閉性の高い容器を準備する必要がある。  
といった、メタノールの取り扱い上の問題や、
(3)  発電効率を高めるために高濃度のメタノール水溶液を使用すると、燃料電池の電極に障害を与えたり、周辺金属材料を腐食させる。
などの問題もある。メタノール以外の他の有機系燃料であっても上記(1)〜(3)の問題が起こり得るが、従来においては、これらの問題は未解決のままであった。
【０００９】
本発明は、上記従来の問題点を解決し、燃料電池用燃料の貯蔵・運搬・放出効率に優れた燃料電池用燃料放出装置を提供することを目的とする。
【課題を解決するための手段】
【００１０】
本発明の燃料電池用燃料放出装置は、有機系燃料電池用燃料の導入口及び排出口を備えた、燃料電池用燃料分子化合物を内蔵するための燃料貯槽と、該燃料貯槽内の燃料電池用燃料分子化合物を加熱する加熱手段とを有することを特徴とするものである。
【００１１】
請求項２の燃料電池用燃料放出装置は、請求項１において、更に、該燃料貯槽内の燃料電池用燃料分子化合物を撹拌する撹拌手段を有することを特徴とするものである。
【００１２】
請求項３の燃料電池用燃料放出装置は、請求項１又は２において、更に、該燃料貯槽内の燃料電池用燃料分子化合物を冷却する冷却手段を有することを特徴とするものである。
【００１３】
請求項４の燃料電池用燃料放出装置は、請求項１ないし３のいずれか１項において、該燃料電池用燃料分子化合物は、ホスト化合物と燃料電池用燃料との接触反応により燃料電池用燃料を包接した燃料電池用燃料包接化合物であることを特徴とするものである。
【００１４】
請求項５の燃料電池用燃料放出装置は、請求項４において、該ホスト化合物が、有機化合物、無機化合物及び有機・無機複合化合物よりなる群から選ばれる１種又は２種以上であることを特徴とするものである。
【００１５】
請求項６の燃料電池用燃料放出装置は、請求項５において、該ホスト化合物が、単分子系ホスト化合物、多分子系ホスト化合物、高分子系ホスト化合物、無機系ホスト化合物、有機・無機複合ホスト化合物よりなる群から選ばれる１種または２種以上であることを特徴とするものである。
【００１６】
請求項７の燃料電池用燃料放出装置は、請求項５又は６において、該ホスト化合物が多孔質物質に担持されていることを特徴とするものである。
【００１７】
請求項８の燃料電池用燃料放出装置は、請求項１ないし７のいずれか１項において、該燃料電池が固体高分子電解質型燃料電池又はダイレクトメタノール型燃料電池であることを特徴とするものである。
【発明の効果】
【００１８】
本発明の燃料電池用燃料放出装置は、燃料電池用燃料を分子化合物として貯蔵するため、貯蔵・運搬効率に優れる。しかも、燃料電池用燃料分子化合物は、燃料電池用燃料と分子化合物を形成する化合物（以下「成分化合物」と称す場合がある。）に燃料電池用燃料を接触または再結晶させるのみで容易に得ることができ、この燃料電池用燃料分子化合物からは加熱手段による比較的低温の加熱で燃料電池用燃料を効率的に放出させることができる。
【００１９】
本発明の燃料電池用燃料放出装置は、貯槽内の燃料電池用燃料分子化合物を撹拌する撹拌手段を備えることが好ましく、撹拌手段で燃料電池用燃料分子化合物を撹拌しながら加熱手段で加熱することにより、燃料電池用燃料をより一層効率的に放出させることができる。また、燃料電池用燃料を放出した成分化合物に燃料電池用燃料を接触させて燃料電池用燃料分子化合物を形成させる際においても、この撹拌手段で成分化合物を撹拌しながら燃料電池用燃料を接触させることにより、効率的に燃料電池用燃料分子化合物を形成させて、燃料電池用燃料を貯蔵することが可能となる。
【００２０】
本発明の燃料電池用燃料放出装置は、更に、燃料貯槽内の燃料電池用燃料分子化合物を冷却する冷却手段を有しても良く、加熱手段により加熱して燃料電池用燃料分子化合物から燃料電池用燃料を放出させた後、この冷却手段で冷却して燃料電池用燃料分子化合物からの燃料電池用燃料の放出を直ちに停止させることができる。
【００２１】
燃料電池用燃料分子化合物としては、ホスト化合物と燃料電池用燃料との接触反応または再結晶により燃料電池用燃料を包接した燃料電池用燃料包接化合物が好適である。
【００２２】
本発明の燃料電池用燃料放出装置は、燃料電池用燃料供給源として燃料電池用燃料分子化合物を利用するものであり、
(i)  燃料電池用燃料を比較的簡単に軽量に、常温、常圧に近い条件で貯蔵することができる；
(ii)  燃料電池用燃料分子化合物として貯蔵した燃料電池用燃料を、比較的低い温度の加熱により放出させて、供給することができる；
(iii)  燃料電池用燃料は危険物や劇物に指定されているものが多いが、燃料電池用燃料分子化合物にすることでこれらを回避した、安全性の高い燃料電池用燃料放出装置を提供することができる；
(iv)  燃料電池用燃料を放出した後のホスト化合物等の化合物（前記「成分化合物」）は、燃料電池用燃料と反応させることにより再度燃料電池用燃料分子化合物を得ることができ、再利用可能である；
といった優れた効果を有し、特に安全性や軽量化が重視される燃料電池、具体的には固体高分子型、ダイレクトメタノール型などの有機燃料使用型など各種の燃料電池、とりわけ携帯電話やモバイル型コンピューター用の携帯用小型燃料電池や自動車搭載用の燃料電池の燃料放出装置として極めて有用である。
【発明を実施するための最良の形態】
【００２３】
以下に図面を参照して本発明の燃料電池用燃料放出装置の実施の形態を詳細に説明する。図１〜６はそれぞれ本発明の燃料電池用燃料放出装置の実施の形態を示す系統図である。
【００２４】
図１の燃料電池用燃料放出装置において、１は、燃料電池用燃料分子化合物２を内蔵する燃料貯槽であり、燃料電池用燃料の導入口と燃料電池用燃料の排出口を有し、各々、燃料電池用燃料の導入ライン１ａ及び排出ライン１ｂが接続されている。また、燃料電池用燃料分子化合物２を加熱するための加熱手段３が設けられている。この燃料電池用燃料分子化合物は、ホスト化合物と燃料電池用燃料との接触反応により燃料電池用燃料を包接した燃料電池用燃料包接化合物が好適である。
【００２５】
この燃料電池用燃料放出装置であれば、燃料貯槽１内の燃料電池用燃料分子化合物２を加熱手段３で加熱することにより、燃料電池用燃料分子化合物２から燃料電池用燃料を放出させ、放出させた燃料電池用燃料を排出ライン１ｂから取り出すことができる。また、燃料電池用燃料の放出後は、導入ライン１ａから燃料電池用燃料を導入して燃料貯槽１内に残留するホスト化合物を燃料電池用燃料と接触させて再び燃料電池用燃料分子化合物を形成させることができ、これにより、燃料電池用燃料分子化合物の形成と、燃料電池用燃料分子化合物からの燃料電池用燃料の放出を繰り返し行うことができる。なお、導入ライン１ａと排水ライン１ｂとを１つにし、１つのラインで燃料の導入と排出を行なっても良い。
【００２６】
燃料貯槽１は、燃料電池用燃料分子化合物を収納することができる容器よりなる。その構成材料としては、燃料電池用燃料分子化合物から燃料電池用燃料を放出させるときに加熱が行われるため、１００℃、好ましくは２００℃までの加熱に耐えられる材質が好ましい。また、熱効率を良くするために、断熱材等を設けた容器であっても良い。この容器は、燃料電池用燃料を常圧条件で貯蔵できるように構成されると、軽量化できるので好ましいが、耐圧性の容器であっても良い。
【００２７】
加熱手段３としては、燃料貯槽１内の燃料電池用燃料分子化合物を加熱できるものであれば特に制限はない。例えば、図１に示すような温水、オイル等の加熱媒体が流通される温水ヒータ、オイルヒータ等の他、電熱ヒータ、ぺルチェ素子などの電熱素子などを用いることができる。
【００２８】
なお、燃料電池より発生する排熱を加熱媒体に吸収させて（好ましくは水を使用し温水化して）、加熱手段３に循環させてもよい。これにより、エネルギーを効率良く利用することができ、好ましい。
【００２９】
図２に示す燃料電池用燃料放出装置は、燃料電池用燃料の導入ライン１ａ及び排出ライン１ｂに各々制御弁Ｖａ，Ｖｂを設け、弁Ｖａ，Ｖｂの開閉ないし開度制御により、燃料電池用燃料の導入又は排出ないしはその流量を制御可能とした点が図１に示す燃料電池用燃料放出装置と異なり、その他は同様の構成とされている。
【００３０】
制御弁Ｖａ，Ｖｂとしては、開閉又は開度制御により燃料電池用燃料の流れや流量を制御することができるものであれば良く、特に制限はないが、燃料貯槽１を加圧条件で使用する場合には耐圧性の弁を使用するのが好ましい。
【００３１】
図３に示す燃料電池用燃料放出装置は、燃料貯槽１内の燃料電池用燃料分子化合物２を冷却する冷却手段４を有し、燃料電池用燃料分子化合物２を加熱後、冷却手段４により冷却して、燃料電池用燃料の放出を直ちに停止することができるように構成されている点が図２に示す燃料電池用燃料放出装置と異なり、その他は同様の構成とされている。
【００３２】
即ち、燃料貯槽１内の燃料電池用燃料分子化合物２を加熱して燃料電池用燃料を放出させた後、燃料電池用燃料の放出を停止させる際に、燃料貯槽１内の燃料電池用燃料分子化合物２を常温に戻す際、燃料貯槽１の素材が非断熱性のものであれば、自然放冷で比較的早期に冷却することが可能であるが、燃料貯槽１の素材が断熱性である場合、或いは急速冷却が必要な場合には、図３に示す如く、燃料貯槽１内の燃料電池用燃料分子化合物２を冷却する冷却手段４を設けることが好ましい。
【００３３】
この冷却手段４としては、図３では、冷却水等の冷却媒体が流通する熱交換用のコイル状配管を用いているが、何らこれに限定されるものではない。
【００３４】
図４に示す燃料電池用燃料放出装置は、燃料貯槽１内の燃料電池用燃料分子化合物２を撹拌する撹拌手段５と、ポンプＰを備える燃料電池用燃料の循環ライン６を有する点が図３に示す燃料電池用燃料放出装置と異なり、その他は同様の構成とされている。
【００３５】
即ち、一般に、燃料電池用燃料分子化合物２、及び燃料電池用燃料を放出した後のホスト化合物は、後述の如く粉体であるため、燃料電池用燃料分子化合物２からの燃料電池用燃料の放出、燃料電池用燃料を放出した後のホスト化合物と燃料電池用燃料との接触による燃料電池用燃料分子化合物の形成に際しては、撹拌手段５により、撹拌を行うことが燃料電池用燃料の放出効率又は燃料電池用燃料とホスト化合物との接触効率を高める上で好ましい。
【００３６】
この攪拌手段としては、攪拌羽根を備えた攪拌機等を用いることができる。
【００３７】
燃料電池用燃料とホスト化合物とを接触させて燃料電池用燃料分子化合物を形成させる際には、導入ラインから燃料貯槽１内に燃料電池用燃料を導入し、排出ライン１ｂから排出される燃料電池用燃料をポンプＰにより循環ライン６で導入口側へ循環することが、燃料電池用燃料の回収効率、燃料電池用燃料分子化合物の形成効率を高める上で好ましい。
【００３８】
燃料電池用燃料分子化合物２を内蔵し、加熱手段３、更には冷却手段４及び／又は撹拌手段５を備える燃料電池用燃料貯槽は、図５に示す如く、複数個（図５では３個の燃料貯槽１Ａ，１Ｂ，１Ｃ）直列に接続して配置しても良く（図５において、Ｖａ，Ｖｂ，Ｖｃ，Ｖｄは開閉弁である。）、図６に示す如く、複数個（図６では３個の燃料貯槽１Ａ，１Ｂ，１Ｃ）並列に配置しても良い。特に、図６に示す如く、複数の燃料貯槽を並列に配置してこれらを多方弁（図６では四方弁ＶＡ，ＶＢ）で連結した場合には、弁の流路を切り換え、燃料電池用燃料を放出させる燃料貯槽と、燃料電池用燃料を貯蔵させる燃料貯槽とを切り換えることにより、連続稼動を行うことも可能である。
【００３９】
なお、図１〜６に示す燃料電池用燃料放出装置は本発明の燃料電池用燃料放出装置の実施の形態の一例を示すものであって、何ら本発明を制限するものではない。例えば、図２の燃料電池用燃料放出装置に更に撹拌手段及び／又は循環ラインを設けても良い。
【００４０】
また、本発明の燃料電池用燃料放出装置には、更に、燃料電池用燃料の放出及び燃料電池用燃料の貯蔵をより効率的に行うために、燃料電池用燃料分子化合物又は成分化合物を燃料貯槽内に保持するための棚部を設けたり、燃料電池用燃料を燃料貯槽内に分散供給するための振動機構等を設けても良い。
【００４１】
次に、本発明で用いる燃料電池用燃料分子化合物について説明する。
【００４２】
本発明でいう分子化合物とは、単独で安定に存在することのできる化合物の２種類以上の化合物が水素結合やファンデルワールス力などに代表される、共有結合以外の比較的弱い相互作用によって結合した化合物であり、水化物、溶媒化物、付加化合物、包接化合物などが含まれる。このような燃料電池用燃料分子化合物は、燃料電池用燃料分子化合物を形成するホスト化合物等の成分化合物と燃料電池用燃料との接触反応により形成することができるものが好適である。この燃料分子化合物は、比較的軽量で常温常圧に近い状態で燃料電池用燃料を貯蔵することができ、かつ簡単な加熱等で燃料電池用燃料を放出することが可能である。
【００４３】
燃料電池用燃料分子化合物としては、燃料電池用燃料をホスト分子で包接した燃料電池用燃料包接化合物が好適である。
【００４４】
このようなホスト化合物としては、有機化合物または無機化合物または有機・無機複合化合物などが挙げられ、単分子系ホスト化合物、多分子系ホスト化合物、高分子系ホスト化合物、無機系ホスト化合物、有機・無機複合ホスト化合物等のいずれでもよい。
【００４５】
単分子系ホスト化合物としては、シクロデキストリン類、クラウンエーテル類、クリプタンド類、シクロファン類、アザシクロファン類、カリックスアレン類、シクロトリベラトリレン類、スフェランド類、環状オリゴペプチド類などが挙げられる。
【００４６】
多分子系ホスト化合物としては、尿素類、チオ尿素類、デオキシコール酸類、ペルヒドロトリフェニレン類、トリ−ｏ−チモチド類、ビアンスリル類、スピロビフルオレン類、シクロフォスファゼン類、モノアルコール類、ジオール類、アセチレンアルコール類、ヒドロキシベンゾフェノン類、フェノール類、ビスフェノール類、トリスフェノール類、テトラキスフェノール類、ポリフェノール類、ナフトール類、ビスナフトール類、ジフェニルメタノール類、カルボン酸アミド類、チオアミド類、ビキサンテン類、カルボン酸類、イミダゾール類、ヒドロキノン類などが挙げられる。
【００４７】
高分子系ホスト化合物としては、セルロース類、デンプン類、キチン類、キトサン類、ポリビニルアルコール類、１，１，２，２−テトラキスフェニルエタンをコアとするポリエチレングリコールアーム型ポリマー類、α，α，α’，α’−テトラキスフェニルキシレンをコアとするポリエチレングリコールアーム型ポリマー類などが挙げられる。
【００４８】
無機系ホスト化合物としては、酸化チタン、グラファイト、アルミナ、遷移金属ジカルゴゲナイト、フッ化ランタン、粘土鉱物（モンモリロナイトなど）、銀塩、ケイ酸塩、リン酸塩、ゼオライト、シリカ、多孔質ガラスなどが挙げられる。
【００４９】
有機・無機複合ホスト化合物としては、カリックスアレン−タングステン酸化物クラスターなどが挙げられる。
【００５０】
また、その他に有機リン化合物、有機ケイ素化合物なども挙げられる。更に、有機金属化合物にもホスト化合物としての性質を示すものがあり、例えば有機アルミニウム化合物、有機チタン化合物、有機ホウ素化合物、有機亜鉛化合物、有機インジウム化合物、有機ガリウム化合物、有機テルル化合物、有機スズ化合物、有機ジルコニウム化合物、有機マグネシウム化合物などが挙げられる。また、有機カルボン酸の金属塩や有機金属錯体などを用いることも可能であるが、有機金属化合物であれば、特にこれらに限定されるものではない。
【００５１】
これらのホスト化合物のうち、包接能力がゲスト化合物の分子の大きさに左右されにくい多分子系ホスト化合物が好適である。
【００５２】
多分子系ホスト化合物としては、具体的には、尿素、１，１，６，６−テトラフェニルヘキサ−２，４−ジイン−１，６−ジオール、１，１−ビス（２，４−ジメチルフェニル）−２−プロピン−１−オール、１，１，４，４−テトラフェニル−２−ブチン−１，４−ジオール、１，１，６，６−テトラキス（２，４−ジメチルフェニル）−２，４−ヘキサジイン−１，６−ジオール、９，１０−ジフェニル−９，１０−ジヒドロアントラセン−９，１０−ジオール、９，１０−ビス（４−メチルフェニル）−９，１０−ジヒドロアントラセン−９，１０−ジオール、１，１，２，２−テトラフェニルエタン−１，２−ジオール、４−メトキシフェノール、２，４−ジヒドロキシベンゾフェノン、４，４’−ジヒドロキシベンゾフェノン、２，２’−ジヒドロキシベンゾフェノン、２，２’，４，４’−テトラヒドロキシベンゾフェノン、１，１−ビス（４−ヒドロキシフェニル）シクロヘキサン、４，４’−スルホニルビスフェノール、２，２’−メチレンビス（４−メチル−６−ｔ−ブチルフェノール）、４，４’−エチリデンビスフェノール、４，４’−チオビス（３−メチル−６−ｔ−ブチルフェノール）、１，１，３−トリス（２−メチル−４−ヒドロキシ−５−ｔ−ブチルフェニル）ブタン、１，１，２，２−テトラキス（４−ヒドロキシフェニル）エタン、１，１，２，２−テトラキス（４−ヒドロキシフェニル）エチレン、１，１，２，２−テトラキス（３−メチル−４−ヒドロキシフェニル）エタン、１，１，２，２−テトラキス（３−フルオロ−４−ヒドロキシフェニル）エタン、α，α，α’，α’−テトラキス（４−ヒドロキシフェニル）−ｐ−キシレン、テトラキス（ｐ−メトキシフェニル）エチレン、３，６，３’，６’−テトラメトキシ−９，９’−ビ−９Ｈ−キサンテン、３，６，３’，６’−テトラアセトキシ−９，９’−ビ−９Ｈ−キサンテン、３，６，３’，６’−テトラヒドロキシ−９，９’−ビ−９Ｈ−キサンテン、没食子酸、没食子酸メチル、カテキン、ビス−β−ナフトール、α，α，α’，α’−テトラフェニル−１，１’−ビフェニル−２，２’−ジメタノール、ジフェン酸ビスジシクロヘキシルアミド、フマル酸ビスジシクロヘキシルアミド、コール酸、デオキシコール酸、１，１，２，２−テトラフェニルエタン、テトラキス（ｐ−ヨードフェニル）エチレン、９，９’−ビアンスリル、１，１，２，２−テトラキス（４−カルボキシフェニル）エタン、１，１，２，２−テトラキス（３−カルボキシフェニル）エタン、アセチレンジカルボン酸、２，４，５−トリフェニルイミダゾール、１，２，４，５−テトラフェニルイミダゾール、２−フェニルフェナントロ［９，１０−ｄ］イミダゾール、２−（ｏ−シアノフェニル）フェナントロ［９，１０−ｄ］イミダゾール、２−（ｍ−シアノフェニル）フェナントロ［９，１０−ｄ］イミダゾール、２−（ｐ−シアノフェニル）フェナントロ［９，１０−ｄ］イミダゾール、ヒドロキノン、２−ｔ−ブチルヒドロキノン、２，５−ジ−ｔ−ブチルヒドロキノン、２，５−ビス（２，４−ジメチルフェニル）ヒドロキノン、などが挙げられる。
【００５３】
ホスト化合物としては、上記したものの中でも１，１−ビス（４−ヒドロキシフェニル）シクロヘキサン、１，１，２，２−テトラキス（４−ヒドロキシフェニル）エタン、１，１，２，２−テトラキス（４−ヒドロキシフェニル）エチレンのようなフェノール系ホスト化合物が経済性、包接能力の面で有利である。
【００５４】
これらのホスト化合物は１種を単独で用いても良く、２種以上を併用しても良い。
【００５５】
上記ホスト化合物の性状については、分子化合物が形成されれば特に制限はなく、固体状、粉末状、粒状、塊状であって良く、さらに結晶状、非晶状（アモルファス状）のいずれでもよい。ホスト化合物が粉末状の固体である場合、その粒径には特に制限はないが、通常の場合、１ｍｍ以下程度であることが好ましい。
【００５６】
また、これらのホスト化合物は、多孔質物質に担持させたホスト化合物含有複合素材として使用することもできる。この場合、ホスト化合物を担持する多孔質物質としては、シリカ類、ゼオライト類、活性炭類の他に、粘土鉱物類、モンモリロナイト類などの層間化合物などが挙げられるが、これらに限定されるものではない。このようなホスト化合物含有複合素材は、前述のホスト化合物を溶解することのできる溶媒に溶解させ、その溶液を多孔質物質中に含浸させ、溶媒を乾燥、減圧乾燥するなどの方法で製造することができる。多孔質物質に対する有機化合物の担持量としては特に制限はないが、通常の場合、多孔質物質に対して１０〜８０重量％程度である。
【００５７】
前述の１，１−ビス（４−ヒドロキシフェニル）シクロヘキサンのようなホスト化合物は、種々のゲスト分子を取り込み、結晶性の包接化合物を形成することが知られている。また、ゲスト化合物（固体，液体，気体のいずれの状態であっても良い。）と直接接触反応させることにより包接化合物が形成されることも知られている。
【００５８】
燃料電池用燃料としては、燃料電池の燃料として用いることができるものであれば良く、例えば、アルコール類、エーテル類、炭化水素類、アセタール類などが挙げられるが、これらに限定されるものではない。燃料電池用燃料としては、一般的には常温常圧で液体であるものが好適であり、具体的にはメタノール、エタノール、ｎ−プロパノール、イソプロパノール、エチレングリコール等のアルコール類、ジメチルエーテル、メチルエチルエーテル、ジエチルエーテル等のエーテル類、プロパン、ブタン等の炭化水素類、ジメトキシメタン、トリメトキシメタン等のアセタール類などが挙げられ、これらは１種を単独で用いても良く、２種以上を混合して用いても良い。
【実施例】
【００５９】
実施例１
１，１−ビス（４−ヒドロキシフェニル）シクロヘキサン１モルにメタノール１モルを包接させたメタノール包接化合物５０ｇを、図４に示す燃料貯槽に入れ、燃料貯槽内のメタノール包接化合物を撹拌下、６０〜１００℃に加熱したところ、メタノールを放出させることができた。その後、２０℃に冷却したところ、メタノール包接化合物からのメタノールの放出は停止した。
【図面の簡単な説明】
【００６０】
【図１】第１の実施の形態に係る燃料電池用燃料放出装置の系統図である。
【図２】第２の実施の形態に係る燃料電池用燃料放出装置の系統図である。
【図３】第３の実施の形態に係る燃料電池用燃料放出装置の系統図である。
【図４】第４の実施の形態に係る燃料電池用燃料放出装置の系統図である。
【図５】第５の実施の形態に係る燃料電池用燃料放出装置の系統図である。
【図６】第６の実施の形態に係る燃料電池用燃料放出装置の系統図である。
【符号の説明】
【００６１】
１，１Ａ，１Ｂ，１Ｃ  燃料貯槽
３  加熱手段
４  冷却手段
５  撹拌手段
【図１】
2005327624.tif 000003
【図２】
2005327624.tif 000004
【図３】
2005327624.tif 000005
【図４】
2005327624.tif 000006
【図５】
2005327624.tif 000007
【図６】
2005327624.tif 000008